【事件の表示】
　特願２０００−１３１２８６「情報処理装置及びその制御方法」拒絶査定不服審判事件〔平成１３年１１月　９日出願公開、特開２００１−３１２３８５〕について、次のとおり審決する。
【結　論】
　本件審判の請求は、成り立たない。
【理　由】
１．手続の経緯・本願発明
　本願は平成１２年４月２８日の出願であって、平成１６年１２月８日付けで拒絶査定がなされ、これに対して平成１７年１月１２日に拒絶査定に対する審判が請求されるとともに、同年２月１４日付けで手続補正がなされ、その後当審において平成１９年４月１９日付けで拒絶理由を通知し、平成１９年６月２２日付けで手続補正がなされたものである。
　本願の請求項１に係る発明は、平成１９年６月２２日付け手続補正書により補正された明細書及び図面の記載からみて、特許請求の範囲の請求項１に記載された事項により特定される次のとおりのもの（以下「本願発明」という。）である。
「アプリケーションからの印刷命令に基づいて印刷装置で印刷すべき印刷ジョブを生成するプリンタドライバを有する情報処理装置であって、
　アプリケーションから発行された印刷命令を中間コードに変換してスプールファイルに記憶する変換手段と、
　プリンタドライバにより表示されるユーザインタフェースを介して１つの印刷対象データについて異なる出力形態を同時に設定した加工設定を取得する取得手段と、
　前記取得手段で取得された前記異なる出力形態に対応して、前記変換手段により変換された中間コードを複数回印刷処理することにより、前記異なる出力形態ごとの、第１の印刷ジョブと第２の印刷ジョブを生成する生成手段と、
　前記生成手段により生成された印刷ジョブを印刷装置へ送信する送信手段とを有し、
　前記生成手段は、出力形態毎に、ジョブ初期化コマンドとジョブ終了処理コマンドに印刷データが挟まれた構成を有する印刷ジョブを生成し、
　前記第１の印刷ジョブの出力形態は１ページを１枚の用紙に出力する出力形態であり、
前記第２の印刷ジョブの出力形態は複数ページを１枚の用紙に出力する出力形態であることを特徴とする情報処理装置。」
　
２．引用刊行物
　これに対して当審の拒絶理由に引用した本願の出願日前に頒布された刊行物「特開平１１−７０７１７号公報」（以下、「引用刊行物１」という。）には図面とともに以下の記載がある。
「【０００２】
【従来の技術】情報処理装置から、テキストや画像、表等を含む１つの文書を複数部出力する場合、出力結果は各ページ（両面印刷時は各用紙）ごとに指定された枚数ずつ出力される場合と、各部ごとにまとまって出力される場合とがある。各部ごとにまとめて出力される部単位印刷の実現方法には、印刷装置で行う方法と、情報処理装置で行う方法とがある。
【０００３】印刷装置で部単位印刷を実現する方法には、情報処理装置から受け取った１つの印刷ジョブの印刷データをすべて印刷装置内に蓄積し、印刷装置がそのデータを指定部数分繰返し出力する方法と、ソータなど部ごとに出力先を切り替える装置を利用する方法とがある。前者の場合には、印刷データを蓄積するためのメモリやハードディスクが印刷装置に必要であり、後者の場合には、ソータが必要である。いずれにしても、部単位印刷を印刷装置で実現するためにはコストがかかるという問題があり、部単位の印刷が行えない印刷装置が一般的である。
【０００４】このため、情報処理装置により部単位印刷を実現する方法が従来行われている。情報処理装置で部単位印刷を実現する従来の方法として、１つの印刷ジョブの中で、出力すべき部数の分、印刷データを繰返し印刷装置に送信する方法がある。この方法を行うには、印刷を実行するアプリケーションソフトウエアがこの方法を実現するための処理を行う必要がある。この従来のアプリケーションによる部単位印刷により両面印刷を行う場合、印刷する文書のページ数が奇数であると、ひとつの部の最終ページの裏面に次の部の最初のページが印刷され、出力物を部単位に分けることができないという問題点があった。
【０００５】この問題を解決するひとつの方法として、Ｎ部の文書を印刷する際に、１部の印刷を行う印刷ジョブをＮ個生成して印刷装置に送信する方法があった。この方法では、１部ずつ独立した印刷ジョブにより印刷することにより、互いに隣接する部の境界で、すなわち１つのジョブの終了時点で排紙させることで出力物を部単位に分けることができる。」（第２頁右欄第１３〜末行）
　
「【０００６】
【発明が解決しようとする課題】しかし、各部ごとに印刷ジョブを生成する場合、印刷中の文書の印刷の中止あるいは中断を行うためには、各印刷ジョブを中止あるいは中断しなければならない。
【０００７】また、ネットワーク上で共有されている印刷装置から文書を印刷させる場合、各印刷ジョブの間に他のクライアントから送信されてきた印刷ジョブが挿入されてしまうこともあり得る。そのため、複数部の出力物の中から、他のクライアントの出力物の有無を調べなければならない。また、他のクライアントも文書を複数部印刷している場合には、各文書の出力部数分だけ印刷ジョブが生成される。その結果、印刷装置の排出トレイには、２種類の文書が、各部ごとにまとまってはいるものの、混じりあった状態で排出される。文書を複数部印刷するクライアントが更に増えれば、出力物の整理は非常に繁雑な作業となることは明らかである。
【０００８】本発明は上記従来例に鑑みてなされたもので、部単位印刷機能を持たない印刷装置において、奇数ページの印刷データを印刷装置の両面印刷を用いて印刷する際には、部の境界が同一用紙上に配置されないようにし、出力物を部単位に分けることが可能なように印刷を行う印刷制御装置及び方法を提供することを目的とする。
【０００９】また、複数部の文書を各部ごとにまとめて印刷する部単位印刷を、単一の印刷ジョブで実現することにより、複数部の印刷出力であってもひとつの印刷ジョブにより管理することができ、また、部単位で印刷を行っても、他の印刷ジョブがそれに割り込むことなく印刷できる印刷制御装置及び方法を提供することを目的とする。」（第３頁左欄第１〜３１行）
　
「【００２３】外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。グラフィックエンジン２０２は印刷装置ごとに用意されたプリンタドライバ２０３を同様に外部メモリ１１からＲＡＭ２にロードし、アプリケーション２０１の出力をプリンタドライバ２０３を用いてプリンタの制御コマンドに変換する。変換されたプリンタ制御コマンドはＯＳによってＲＡＭ２にロードされたシステムスプーラ２０４を経てインターフェース２１経由でプリンタ１５００へ出力される仕組みとなっている。
＜印刷制御システムの構成＞本実施の形態のシステムは、図２で示すプリンタとホストコンピュータからなる印刷システムに加えて、更に図３に示すように、アプリケーションからの印刷データを一旦中間コードデータでスプールするシステムを前提としている。
【００２４】図３は、図２のシステムを拡張したもので、グラフィックエンジン２０２からプリンタドライバ２０３へ印刷命令を送る際に、一旦中間コードからなるスプールファイル３０３を生成する。図２のシステムでは、アプリケーション２０１が印刷処理から開放されるのはプリンタドライバ２０３がグラフィックエンジン２０２からのすべての印刷命令をプリンタの制御コマンドへ変換し終わった時点である。これに対して、図３のシステムでは、スプーラ３０２が全ての印刷命令を中間コードデータに変換してスプールファイル３０３に出力した時点である。通常、後者の方が短時間で済む。また、図３で示すシステムにおいては、スプールファイル３０３の内容に対して加工することができる。これにより、アプリケーションからの印刷データに対して、拡大縮小や、複数ページを１ページに縮小して印刷する等、アプリケーションの持たない機能を実現することができる。
【００２５】これらの目的のために、図２のシステムに対し、図３の様に中間コードデータでスプールする様、システムの拡張がなされてきている。なお、印刷データの加工を行うためには、通常プリンタドライバ２０３が提供する設定画面からオペレータが設定を行い、プリンタドライバ２０３がその設定内容をＲＡＭ２あるいは外部メモリ１１上に保管する。
【００２６】以下、図３の詳細を説明する。図に示す通り、この拡張された処理方式では、グラフィックエンジン２０２からの印刷命令をディスパッチャ３０１が受け取る。ディスパッチャ３０１がグラフィックエンジン２０２から受け取った印刷命令が、アプリケーション２０１からグラフィックエンジン２０２へ発行された印刷命令の場合には、ディスパッチャ３０１は外部メモリ１１に格納されているスプーラ３０２をＲＡＭ２にロードし、プリンタドライバ２０３ではなくスプーラ３０２へ印刷命令を送付する。
【００２７】スプーラ３０２は受け取った印刷命令を中間コードに変換してスプールファイル３０３に出力する。また、スプーラ３０２は、プリンタドライバ２０３に対して設定されている印刷データに関する加工設定をプリンタドライバ２０３から取得してスプールファイル３０３に保存する。なお、スプールファイル３０３は外部メモリ１１上にファイルとして生成されるが、ＲＡＭ２上に生成されても構わない。更にスプーラ３０２は、外部メモリ１１に格納されているスプールファイルマネージャ３０４をＲＡＭ２上にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００２８】スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対してスプールファイル３０３に記述された中間コードの印刷処理を行うように指示する。
【００２９】デスプーラ３０５はスプールファイル３０３に含まれる中間コードをスプールファイル３０３に含まれる加工設定の内容に従って加工し、もう一度グラフィックエンジン２０２経由で出力する。
【００３０】ディスパッチャ３０１がグラフィックエンジン２０２から受け取った印刷命令が、デスプーラ３０５からグラフィックエンジン２０２へ発行された印刷命令の場合には、ディスパッチャ３０１はスプーラ３０２ではなく、プリンタドライバ２０３に印刷命令を送る。
【００３１】プリンタドライバ２０３は受け取った印刷命令に応じてプリンタ制御コマンドを生成し、それをシステムスプーラ２０４，双方向インターフェース２１経由でプリンタ１５００に出力する。
＜プリンタの構成＞図９は、プリンタ１５００の一例である両面印刷機能を有するカラーレーザビームプリンタの断面図である。」（第４頁右欄第２８行〜第５頁右欄第１６行）
　
「【００４６】両面ユニットに導かれた記録用紙は、搬送ローラ４０によりトレイ１の下部（ニ点鎖線で示す搬送径路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写・定着を再度行うことで、両面印刷ができる。
＜部単位の両面印刷のしかた＞図４は、従来のアプリケーションによる部単位印刷の例（図４（ａ））と、本実施例の印刷制御システムにより得られる出力結果の例（図４（ｂ））を示すものである。従来の出力結果では、部の総ページ数Ｎが奇数の場合、１部目の最終ページの裏面に２部目の１ページ目が印刷されている。この結果、出力物を部単位に分ける事ができなくなっている。また、１部目と２部目の各用紙の裏表では、印刷されているページの組み合わせが異なる結果となっている。これに対し、本実施例の印刷制御システムの出力結果では、部の総ページ数Ｎが奇数の場合にはその裏面に空白ページを挿入する事により、別の部に含まれるページが同一の用紙の表面と裏面に配置される事のないようにし、出力物を部単位に分ける事を可能とし、また各用紙の裏表に印刷されているページの組み合わせは全ての部で同一となる。
【００４７】図１１Ａ，１１Ｂは、部単位印刷時の印刷ジョブキューの状態を示す図である。図１１Ａは、８部の「Printer Test Page」を印刷するために、８個の印刷ジョブを発生させた場合の印刷ジョブキューの状態を示している。この印刷を中止あるいは中断するためには、８個の印刷ジョブそれぞれに対して、中止あるいは中断の指示が必用である。また、５部目と６部目との間には、他の印刷ジョブ「Script.doc」が割り込んでいる。８部の印刷を８個の印刷ジョブによりひとつのプリンタで行っているため、それら印刷ジョブとほぼ同時に他の印刷ジョブがそのプリンタに対して送り付けられると、このような事態になる。
【００４８】これに対して本実施形態の印刷システムおける印刷ジョブキューの例を図１１Ｂに示す。図１１Ｂにおいては、複数部の印刷を単一の印刷ジョブで実行するために、印刷ジョブキューにはひとつのジョブとして表示される。また、印刷の中止や中断はそのひとつの印刷ジョブに対する操作で実行できる。また、他の印刷ジョブが間に割り込むこともなく、異なる文書が混じりあうこともない。
【００４９】＜印刷制御手順＞以下、図５以降を用いて、両面印刷時の部単位印刷処理について詳しく述べる。図５および図６は、スプールファイルマネージャ３０４により実行される制御手順である。
【００５０】アプリケーション２０１から印刷が開始されると、スプーラ３０２はプリンタドライバ２０３から印刷の設定を取得し、スプールファイル３０３に記録する。スプーラ３０２は、スプールファイルマネージャ３０４が起動していない場合にはＲＡＭ２にスプールファイルマネージャをロードし、印刷が開始されたことをスプールファイルマネージャに通知する。
【００５１】スプールファイルマネージャ３０４は、スプールファイル３０３に記録されている印刷の設定を読み取り、部単位印刷でかつプリンタの両面印刷を利用する印刷であると判定すると、図５の処理を開始する。
【００５２】ステップ５００では、印刷処理を行っていない残り部数を示すＮに指定された部数をセットする。ステップ５０１では、印刷ジョブの先頭を示す「ジョブ開始」をプリンタに対して発行し、ひとつの印刷ジョブの始まりをプリンタに知らせる。ただし、印刷時に指定される印刷部数は１以上であるものとする。
【００５３】ステップ５０２では、Ｎが１以上か調べ、１未満であれば指定された部数を処理し終えたとして終了する。１以上の場合には、ステップ５０３で１部の印刷処理を行い、ステップ５０４で残り部数を１減らし、ステップ５０２へ戻る。こうして、指定された部数回ステップ５０３の１部の印刷処理を行うことで、部単位の印刷を行う。指定された部数の文書を印刷し終えたなら、「ジョブ終了」を発行して、プリンタにひとつの印刷ジョブの終了を知らせる。
【００５４】図６は、図５のステップ５０３における処理のフローチャートである。ステップ６０１では、処理中のページ番号を示すＫに１をセットし、１ページ目の処理を開始する。ステップ６０２では、Ｋページ目が存在するかを調べ、存在する場合にはそのページを印刷するようデスプーラ３０５に指示をする（ステップ６０３）。そしてＫページ目の処理を終了し、Ｋの値をインクリメントし（ステップ６０４）、ステップ６０２に戻って次のページの処理へ進む。ステップ６０２でＫページ目が存在しないと判定された場合には、ステップ６０５でＫは偶数であるか、すなわち裏面であるかを調べる。Ｋが偶数（裏面）でない場合、Ｋ−１ページ目は偶数（裏面）であり、それが部の最終ページであるため、そのまま１部の印刷処理を終了する。一方、Ｋが偶数の場合、Ｋページ目は両面印刷の裏面にあたり、かつＫページ目は存在しないので、Ｋページ目として空白ページを印刷する。
【００５５】このように、１部のページ数が奇数ページの場合には、部の最後の用紙の裏面に空白ページを挿入することにより、図４に示す本実施例の印刷制御システムの出力結果を得ることが出来る。こうして、部単位にまとまった両面印刷された印刷物を、そのページ数が偶数であろうと奇数であろうと出力することができる。」（第６頁右欄第４９〜第７頁右欄第４５行）
　
「【００５６】また、このように複数部の部単位印刷を単一の印刷ジョブで実現することにより、印刷の中止や中断が通常の１ジョブに対する場合と同様に行え、また、部単位印刷中に、他の印刷ジョブが間に割り込むことを防止できる。
［第２の実施の形態］図３に示した拡張されたシステムでは、複数のページ（Ｎページ）を縮小し、１ページにまとめて印刷する機能を実現できる。以下、この機能をＮアップ印刷と呼ぶ。Ｎアップ印刷の場合にも、以下に示す手順により、本発明を適用できる。以下、アプリケーションソフトウェアから印刷されるページ（数）を論理ページ（数）、実際に出力されるページ（数）を物理ページ（数）と呼ぶ事とする。Ｎアップ印刷では、Ｎ論理ページを縮小して１物理ページにまとめ、印刷することになる。
【００５７】図７は、図３に示す拡張された印刷データ生成方法でＮアップ印刷を行った際、従来のアプリケーションによる部単位印刷の出力結果と、本実施例の印刷制御システムにより得られる出力結果を示すものである。従来の出力結果では、ひとつの部の総物理ページ数Ｐが奇数の場合、１部目の最終物理ページの裏面（図７（ａ）においては２枚目の裏面）に２部目の１物理ページ目が印刷されている。この結果、出力物を部単位に分けることができなくなっている。また、１部目と２部目の各用紙の裏表では、印刷されている論理ページの組み合わせが異なる結果となっている。
【００５８】これに対し、本実施形態の印刷制御システムの出力結果では、ひとつの部の総物理ページ数Ｐが奇数の場合にはその裏面に空白ページを挿入する事により、互いに異なる部に含まれる論理ページが同一の用紙の表面と裏面に配置される事のないようにして、出力物を部単位に分ける事を可能としている。また各用紙の裏表に印刷されている論理ページの組み合わせはすべての部で同一となる。
【００５９】以下、Ｎアップ印刷における両面印刷時の部単位印刷処理について詳しく述べる。図５および図８は、スプールファイルマネージャ３０４により実行される制御手順である。
【００６０】スプールファイルマネージャ３０４は、スプールファイル３０３に記録されている印刷の設定を読み取り、部単位印刷でかつプリンタの両面印刷を利用する印刷であると判定すると、第１の実施の形態と同様に、図５の処理を開始する。ただし、ステップ５０３では、印刷の設定でＮアップ印刷を指定されている場合には、図６ではなく、図８のフローチャートに示す処理を行う。
【００６１】ステップ８０１では、処理中の物理ページ番号を示すＰに１をセットし、１物理ページ目の処理を開始する。Ｎには、Ｎアップ印刷の各物理ページに配置する論理ページ数Ｎ（例えば、４ページ分を１ページに縮小する４アップの場合ではＮ＝４）をセットする。
【００６２】ステップ８０２では、（Ｎ（Ｐ−１）＋１）論理ページが存在するかを調べる。
【００６３】（Ｎ（Ｐ−１））は、（Ｐ−１）物理ページ目までに印刷を終えた論理ページ数を意味する。よって、＋１した前記値は、Ｐ物理ページに配置する最初の論理ページを意味する。この論理ページが存在する場合には、Ｐ物理ページを印刷する必要があり、そうでない場合はＰ物理ページを印刷する必要はなく、（Ｐ−１）物理ページが、部の最終ページとなる。
【００６４】ステップ８０２の結果がＹＥＳの場合には、Ｐ物理ページが存在するため、Ｐ物理ページを印刷するようデスプーラ３０５に指示をする（ステップ８０３）。そしてＰ物理ページ目の処理を終了し、Ｐの値をインクリメントし（ステップ８０４）、ステップ８０２に戻って次の物理ページの処理へ進む。
【００６５】一方、ステップ８０２で（Ｎ（Ｐ−１）＋１）論理ページが存在しないと判定された場合には、ステップ８０５でＰは偶数であるか、すなわち裏面であるかを調べる。Ｐが偶数の場合、Ｐページ目は両面印刷の裏面にあたり、かつＰ物理ページ目は存在しないので、Ｐ物理ページ目として空白ページを印刷する。
【００６６】このように、Ｎアップ印刷の場合にも、部のページ数が奇数ページの場合に部の最後の裏面に空白ページを挿入することにより、図７に示す出力結果を得る事が出来る。こうして、例えばホストコンピュータなどから繰返し印刷要求を行うことで所望の部数の印刷物を１部ずつ分けて出力する場合、１部のページ数がどのようなものであっても、１部ずつ独立し、各部が同じ体裁の印刷物を得ることができる。
【００６７】また、このように複数部の部単位印刷を単一のジョブで実現することにより、印刷の中止や中断が通常の１ジョブに対する場合と同様に行え、また部単位印刷中に他の印刷ジョブが間に割り込むことを防止できる。」（第７頁右欄第４６行〜第８頁右欄第３０行）
　
　これら引用刊行物１の記載から、引用刊行物１には以下の発明（以下、「引用発明１」という。）が記載されているものと認められる。
「アプリケーションからの印刷命令に基づいて印刷装置で印刷すべき印刷データを生成するプリンタドライバを有するホストコンピュータとしての印刷制御装置であって、
　アプリケーションから発行された印刷命令を中間コードに変換してスプールファイルに記憶し、プリンタドライバにより表示されるユーザインタフェースを介して１つの印刷対象データについて１ページを１枚の用紙に出力するか、あるいは複数ページを１枚の用紙に出力する出力形態と、該出力形態で出力する場合の印刷部数が設定される加工設定を取得するスプーラと、
　前記スプーラにより変換された中間コードを前記スプーラにより取得された加工設定に従って加工し、印刷命令としてグラフィックエンジンにデスプールするデスプール手段と、
　前記グラフィックエンジンから印刷命令を受け取り、該印刷命令がアプリケーションから発行された印刷命令であるか、前記デスプール手段がデスプールした印刷命令であるか判断し、アプリケーションから発行された印刷命令であると判断された場合に、該印刷命令を前記スプーラに渡し、一方、前記デスプール手段がデスプールした印刷命令であると判断された場合に、該印刷命令を前記プリンタドライバに渡すディスパッチャと、
　前記スプーラで取得された前記出力形態に対応して、前記スプーラにより変換された中間コードを複数回出力処理することにより、前記設定に応じて、ジョブ開始とジョブ終了に挟まれた１ページを１枚の、あるいは複数ページを１枚の用紙に出力する出力形態で設定された部数（Ｎ）の印刷ジョブを生成し、システムスプーラ経由でプリンタに出力するプリンタドライバと、を有する印刷制御装置。」
　
　同じく、当審の拒絶理由に引用した本願の出願日前に頒布された刊行物「特開平１０−３２２４８７号公報」（以下、「引用刊行物２」という。）には図面とともに以下の記載がある。
「【請求項１】  画像を多様な形態で出力可能な画像処理装置において、
画像の複数の出力形態を指定する指定手段と、
ページ記述言語で表わされた画像情報と前記指定手段によって指定された複数の出力形態情報とを入力するデータ入力手段と、
前記データ入力手段より入力された画像情報を可視画像に展開する画像展開手段と、前記画像展開手段によって展開された画像を記憶しておくための記憶手段と、
前記データ入力手段により入力された複数の出力形態情報にしたがって、前記記憶手段に記憶されている画像を複数の出力形態で出力する画像出力手段とを備えたことを特徴とする画像処理装置。」（第２頁左欄第２〜１４行）
　
「【０００１】
【発明の属する技術分野】本発明は、画像を多様な形態で出力可能な画像処理装置、その制御方法、及びこの画像処理装置を含む画像処理システムに関するものである。」（第２頁右欄第３６〜４０行）
　
「【０００８】本発明は上記従来の問題点に鑑み、一回の画像出力指示で複数形態での出力を可能とし、かつ可視画像への展開動作は一回のみとし、画像出力動作における操作性の向上、及びトータル的な生産性の向上を実現する画像処理装置、その制御方法及び画像処理システムを提供することを目的とする。」（第３頁左欄第３５〜４０行）
　
「【００２８】また、入出力制御部３は、本実施形態においては、画像処理装置１００と一体化されたものとして説明するが、実施の態様により、例えば情報処理装置１１に内蔵された形態であっても良いし、例えば、情報処理装置１１、画像処理装置１００（入出力制御部３を含む）が一体化された形態であっても良い。」（第４頁左欄第３８〜４３行）
　
「【００５２】次に、ＰＣ上で作成された画像を、ユーザの一回の指示で様々な形態でプリントアウトしたり、ファクシミリ送信やファイル保存する動作について説明する。
【００５３】図６及び図７は、ＰＣ上で作成された画像の出力形態を指示するためのアプリケーンョン（ブリンタドライバ）において、複数の出力形態を指示するための画面の一例である。
【００５４】図６は、ＰＣ上で作成された画像をプレゼンテーション用の資料として印刷するための設定画面の一例を示す図である。
【００５５】プレゼンテーション用資料は、通常、発表用にＯＨＰ等の用紙に等倍で１部印刷し、必要であれば配布用に縮小して複数部印刷するといった操作が想定される。したがって、発表用資料の印刷設定では、印別する用紙のサイズとＯＨＰ用紙のセットされている用紙入力源を選択可能とし、配布用資料の印刷設定ではこれらに加え、縮小印刷などレイアウト、部数、さらにソート方法を選択可能とした設定画面としている。
【００５６】図７は、ＰＣ上で作成された画像をファクシミリ送信し、かつ送信文書のイメージデータを光磁気ディスク６に保存するための設定画面の一例を示す図である。
【００５７】ファクシミリ送信の設定では、ファクシミリ番号と送信モードの設定、光磁気ディスク６への保存設定では、文書名、画像サイズ、レイアウトの設定を可能としている。
【００５８】以上の出力設定は、ＰＣ上より印刷指示がなされた際に、画像情報とともに出力形態を指示する情報として本装置に送出される。」（第５頁右欄第４９行〜第６頁左欄第２８行）
　
「【００７２】まず、レイアウト変更があるか否かを判定し（ステップＳ１３１）、等倍すなわち変更がない場合には、イメージメモリ部９より１ページ分の画像を取り出しメモリ１２４に格納する（ステップＳ１３２）。縮小レイアウト（「２ ｉｎ １」、「４ ｉｎ １」など）等レイアウト変更がある場合には、イメージメモリ部９より任意のページ数分取り出し（ステップＳ１３３）、データ処理部１２１で変倍等の画像処理を行い１ページの画像に編集した後、メモリ１２４に格納する（ステップＳ１３４）。」（第７頁左欄第８〜１７行）
　
「【００５９】図８は、フォーマッタ部８において、入力されたＰＤＬデータをビットマップ形式の画像データに展開し、展開した画像データを出力画像キューに登録するまでの処理の流れを示すフローチャートである。なお、この処理は、制御プログラム１３６に基づいてＣＰＵ１３２によって制御される。
【００６０】画像データが入力されると、フォーマッタ部８は、それを解析し（ステップＳ８１）、画像の出力形態を指定する情報を取得し、これをジョブ情報としてメモリ１３４に格納する（ステップＳ８２）。
【００６１】図９は、ジョブ情報の一例を模式的に示す図である。ジョブ情報３００は、ジョブの数とそれぞれのジョブの詳細情報からなる。ジョブの詳細情報は、ジョブの種類によってフォーマットが異なり、例えばプリントジョブ用３０１、ファクシミリ送信用３０２、及びファイル保存用３０３といったように、それぞれ必要な情報が収められる。図６及び図７に示す様な出力設定を行った場合に作成されるジョブ情報の例を、それぞれ図１０の４００、４０１に示す。
【００６２】ジョブ情報３００を格納したら（ステップＳ８２）、フォーマッタ部８は、１ページの終了を示すコードを受け取るまで、画像データを不図示のメモリ上に順次ビットマップ展開する（ステッブＳ８３，Ｓ８４）。そして、１ページ分の展開が終了したら、出力画像キュー１３５に登録する（ステップＳ８５）。
【００６３】出力画像キューとは、メモリ上に展開された画像（ビットマップデータ）のアドレス等を示したデータテーブルのキューであり、画像出力の際は、この出力画像キューに基づいて、展開した画像を出力する。ステップＳ８３〜ステップＳ８５の処理は、一連のジョブの終了を示すコードを受け取るまで繰り返して実行される。」（第６頁左欄第２９行〜右欄第１０行）
　
　図１０には、図６に記載されている発表用資料（手差しトレイを使用し、１ページを１枚の用紙に出力する。）と配布用資料（カセット１を使用し、２ページを１枚の用紙に出力する。）の指定を行った場合、ジョブ数は２であること（手差しトレイを使用するジョブ（ジョブ番号１）、カセット１を使用し、レイアウトが２ｉｎ１のジョブ（ジョブ番号２））が記載されている。　
　
　これら引用刊行物２の記載から、引用刊行物２には以下の発明（以下、「引用発明２」という。）が記載されているものと認められる。
「情報処理装置（コンピュータ）に内蔵された入出力制御部を有する画像処理システムであって、プリンタドライバの指示画面により１つの印刷対象データについて１ページを１枚の用紙に出力する第１の出力形態（第１のジョブ）と複数ページを１枚の用紙に出力する第２の出力形態と該第２の出力形態（第２のジョブ）で出力する場合の印刷部数を設定し、前記第１の出力形態及び前記第２の出力形態に対応してデータを出力する入出力制御部を有する画像処理システム。」
　
３．対比
　本願発明と引用発明１を対比すると、
　引用発明１の「ホストコンピュータとしての印刷制御装置」及び「プリンタ」は、それぞれ、本願発明の「情報処理装置」及び「印刷装置」に相当する。
　また、引用発明１の「スプーラ」は   アプリケーションから発行された印刷命令を中間コードに変換し、また加工設定を取得するから、本願発明の「変換手段」および「取得手段」に相当する。
　また、引用発明１の「プリンタドライバ」は、本願発明の「プリンタドライバ」に相当し、引用発明１の「プリンタドライバ」は更にジョブ開始とジョブ終了に挟まれた印刷ジョブを生成しているから、本願発明の「生成手段」にも相当する。
　また、引用発明１の「システムスプーラ」は生成手段（プリンタドライバ）により生成された印刷ジョブを印刷装置（プリンタ）に送信しているから、本願発明の「送信手段」に相当する。
　さらに、引用発明１の、複数ページを１枚の用紙に出力する出力形態の設定された部数の印刷ジョブうちの第１部（Ｎ部の内の第１部）の印刷情報、及びこれに続く第２部の印刷情報は、それぞれ本願発明の「第１の印刷ジョブ」、「第２の印刷ジョブ」と「第１の印刷情報」、「第２の印刷情報」である点で一致している。
　
したがって、両者は
「アプリケーションからの印刷命令に基づいて印刷装置で印刷すべき印刷ジョブを生成するプリンタドライバを有する情報処理装置であって、
　アプリケーションから発行された印刷命令を中間コードに変換してスプールファイルに記憶する変換手段と、
　プリンタドライバにより表示されるユーザインタフェースを介して１つの印刷対象データについて出力形態を設定した加工設定を取得する取得手段と、
　前記取得手段で取得された前記異なる出力形態に対応して、前記変換手段により変換された中間コードを複数回印刷処理することにより、前記出力形態の、第１の印刷情報と第２の印刷情報を生成する生成手段と、
　前記生成手段により生成された印刷情報を印刷装置へ送信する送信手段とを有し、
　前記生成手段は、印刷情報を生成し、
　第２の印刷情報の出力形態は複数ページを１枚の用紙に出力する出力形態である情報処理装置。」の点で一致し、以下の点で相違する。
　
相違点１
　本願発明の取得手段は１つの印刷対象データについて異なる出力形態を同時に設定した加工設定を取得しており、第１の印刷ジョブの出力形態は１ページを１枚の用紙に出力する出力形態であるのに対して、引用発明１の取得手段は１つの印刷対象データについて異なる形態を同時に設定したものを取得するものではなく、従って第１の印刷情報の出力形態が第２の印刷情報の出力形態と異なることについて記載されていない点。
　
相違点２
　本願発明の生成手段は出力形態毎にジョブ初期化コマンドとジョブ終了処理コマンドに印刷データが挟まれた第１の印刷ジョブと第２の印刷ジョブを生成しているのに対し、引用発明１の生成手段は、第１の印刷情報と第２の印刷情報を生成しているが、第１の印刷情報及び第２の印刷情報がそれぞれにジョブ初期化コマンドとジョブ終了処理コマンドに印刷データが挟まれた印刷ジョブであることについて記載されていない点。
　
４．当審の判断
　以下、上記相違点について検討する。
相違点１について
　引用発明２にはプリンタドライバの指示画面により１つの印刷対象データについて１ページを１枚の用紙に出力する第１の出力形態と複数ページを１枚の用紙に出力する第２の出力形態を設定し、前記第１の出力形態及び前記第２の出力形態に対応して印刷を行うことが記載されており、引用発明１に適用して引用発明１の取得手段を１つの印刷対象データについて異なる出力形態を同時に設定した加工設定を取得するようし、第１の印刷情報の出力形態を１ページを１枚の用紙に出力する出力形態とするこことは当業者が容易になし得ることである。
　
相違点２について
　印刷ジョブを「ジョブ初期化コマンド」、「ジョブ終了コマンド」により印刷データを挟んだ形式とすることは特開平４−６５２６０号公報（第７頁右下欄第８行〜下から第３行、第１６図）、特開平１０−２１０２３号公報（第３頁、段落【００１１】、【００１２】）に記載されているように周知である。そして、一般にジョブの単位をどのようなものとするかはジョブの内容等に応じて適宜に決定される設計的事項である（この点、引用刊行物１には複数部数の印刷を行う場合、複数部数をまとめて１つのジョブとすること（段落【０００４】（従来技術）、引用発明１）、及びジョブを１部ごとに独立した印刷ジョブとすること（段落【０００５】）の両者が記載されており、引用発明１はジョブの管理の観点から複数部数をまとめて１つのジョブとしている。（段落【０００９】、【００４８】））。
　そして、引用発明２に記載された１つの印刷対象データについて１ページを１枚の用紙に出力する第１の出力形態と複数ページを１枚の用紙に出力する第２の出力形態とは印刷の形態を異にするものであるから、上記「相違点１について」の項で指摘したように引用発明１において引用発明２の技術を適用した場合に、引用発明１の第１の印刷情報及び第２の印刷情報について、それぞれジョブ初期化コマンドとジョブ終了処理コマンドに挟まれたものとして本願発明のように構成することは当業者が容易になし得ることである。
　
　そして、本願発明のように構成したことによる効果も引用発明１、引用発明２及び周知技術から予想できる程度のものであって、格別のものではない。
　
　したがって、本願発明（請求項１に係る発明）は、引用発明１、引用発明２及び周知技術に基づいて当業者が容易に発明をすることができたものである。
　
５．むすび
　以上のとおり、本願発明（請求項１に係る発明）は、引用発明１、引用発明２及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　よって、結論のとおり審決する。